(57)【特許請求の範囲】
【請求項１】
互いに並んで配置された複数の扁平管（２１ｂ）と、
複数の前記扁平管の一端それぞれが接続され、長手方向が鉛直方向となるように伸びたヘッダ集合管（２４）と、
複数の前記扁平管の一端それぞれが接続されている第１空間（６１ａ、６１ｂ）と、複数の前記扁平管が接続されていない第２空間（６２ａ、６２ｂ）と、に前記ヘッダ集合管（２４）の内部を仕切る第１仕切部材（７０）と、
複数の前記扁平管の並び方向における一方側の分流空間（６１ｂ）と他方側の導入空間（６１ａ）とに前記第１空間を仕切りつつ、複数の前記扁平管の並び方向における一方側の反分流空間（６２ｂ）と他方側の反導入空間（６２ａ）とに前記第２空間を仕切る第２仕切部材（８２）と、
を備え、
前記第２仕切部材（８２）は、前記導入空間（６１ａ）と前記分流空間（６１ｂ）とを連通させる流入開口（８２ａ、８２ｂ）を有しており、
前記第１仕切部材（７０）は、前記導入空間（６１ａ）と前記反導入空間（６２ａ）とを連通させる均圧開口（７４）を有しており、
前記反導入空間（６２ａ）は、前記均圧開口（７４）を介して前記導入空間（６１ａ）とのみ連通しており、
前記導入空間（６１ａ）は、前記分流空間（６１ｂ）の下方に位置している、
熱交換器（２０）。
【請求項２】
前記均圧開口（７４）の下端は、前記導入空間（６１ａ）に接続されている前記扁平管の端部の出口よりも下方に位置している、
請求項１に記載の熱交換器。
【請求項３】
前記均圧開口（７４）の上端は、前記導入空間（６１ａ）に接続されている前記扁平管の端部の出口よりも下方に位置している、
請求項２に記載の熱交換器。
【請求項４】
前記熱交換器内の冷媒流れにおける冷媒の入口から冷媒の出口に到るまでの折返し地点近傍に、前記導入空間および前記分流空間が位置しており、
前記導入空間に接続されている前記扁平管の本数よりも、前記分流空間に接続されている前記扁平管の本数の方が多い、
請求項１から３のいずれか１項に記載の熱交換器。
【請求項５】
前記第１仕切部材（７０）は、前記分流空間（６１ｂ）と前記反分流空間（６２ｂ）とを、上方において連通させる上連通口（７３）と、下方において連通させる下連通口（７２）と、を有している、
請求項１から４のいずれか１項に記載の熱交換器。
【発明の詳細な説明】
【技術分野】
【０００１】
本発明は、熱交換器に関する。
【背景技術】
【０００２】
従来より、複数の扁平管と、複数の扁平管に接合されたフィンと、複数の扁平管の一端側と他端側にそれぞれ連結されたヘッダ集合管とを備え、扁平管の内部を流れる冷媒を扁平管の外部を通過する空気と熱交換させる熱交換器が知られている。
【０００３】
例えば、特許文献１（特開２０１３−１３０３８６号公報）に記載の熱交換器では、一端側のヘッダ集合管の下方が冷媒の入口を構成し、一端側のヘッダ集合管の上方が冷媒の出口を構成しており、他端側のヘッダ集合管では冷媒を折り返すように流す構造が採用されている。この熱交換器が冷媒の蒸発器として機能する場合には、一端側のヘッダ集合管の下方の入口に流入した冷媒は、３つのパスに分流され、他端側のヘッダ集合管の下方部分に向けて流れる。他端側のヘッダ集合管に送られた３つのパスを流れる冷媒は、折り返すように流されつつ、それぞれが更に複数のパスに分流され、一端側のヘッダ集合管の上方部分に集められた後、出口を介して流れ出る。
【０００４】
ここで、他端側のヘッダ集合管の内部は、５つの空間に上下に分割されており、最下段の空間と下から４番目の空間が第１連絡配管で接続され、下から２番目の空間と最上段の空間も第２連絡配管で接続されている。そして、入口において分けられた３つのパスのうちの１つパスでは、最下段の空間と第１連絡配管と下から４番目の空間をこの順に冷媒が流れ、他の１つのパスでは、下から２番目の空間と第２連絡配管と最上段の空間をこの順に冷媒が流れる。そして、３つのパスのうちの残りの１つのパスでは、連絡配管等を介することなく、他端側のヘッダ集合管の内部の下から３番目の空間内において下方から上方に向けて冷媒を流しながら、分流しつつ折り返している。
【発明の開示】
【発明が解決しようとする課題】
【０００５】
ここで、上述のような特許文献１に示された熱交換器は、冷媒の蒸発器として機能する場合には、他端側のヘッダ集合管内のうち冷媒を折り返して流しながら分流させる部分では、冷媒を上昇させるように流す必要がある。ところが、冷媒の流速がおそい状況では、冷媒の上昇速度を十分に確保することができないため、冷媒を上方まで十分に到達させることが困難になる場合がある。
【０００６】
これに対して、例えば、ヘッダ集合管内を上面視において扁平管側の空間とその反対側の空間とに仕切る第１仕切部材を設けることで、上昇するように流れる冷媒の流路面積を小さくし、上昇速度を確保して、上方まで到達させやすくすることが考えられる。
【０００７】
さらに、ヘッダ集合管の内部で冷媒を折り返すように流す空間では、冷媒を流入させる部分と冷媒を流出させる部分とを上下に仕切る第２仕切部材をさらに採用しつつ、当該第２仕切部材において扁平管が接続されている側の空間を上下に連通させるノズルのような開口を設けることが考えられる。これにより、開口において絞られることで冷媒の流速を増大させることができ、勢いよく流れる冷媒を上方まで到達させやすくすることが考えられる。
【０００８】
しかし、この場合において、第２仕切部材の下方において、扁平管側の空間と反扁平管側の空間とが完全に仕切られてしまうと、反扁平管側の空間が閉空間となっていまい、扁平管側の空間の冷媒圧力と反扁平管側の空間の冷媒圧力に違いが生じることから、第１仕切部材が当該部分において疲労破壊が生じてしまうおそれがある。
【０００９】
本発明は上述した点に鑑みてなされたものであり、本発明の課題は、冷媒の流路を狭めて上昇速度を確保するために第１仕切部材を設けた場合であっても、第１仕切部材の疲労破壊を抑制することが可能な熱交換器を提供することにある。
【課題を解決するための手段】
【００１０】
第１観点に係る熱交換器は、互いに並んで配置された複数の扁平管と、複数の扁平管の一端それぞれが接続され、長手方向が鉛直方向となるように伸びたヘッダ集合管と、第１仕切部材と、第２仕切部材と、を備えている。第１仕切部材は、ヘッダ集合管の内部を、複数の扁平管の一端それぞれが接続されている第１空間と、複数の扁平管が接続されていない第２空間と、に仕切っている。第２仕切部材は、複数の扁平管の並び方向における一方側の分流空間と他方側の導入空間とに第１空間を仕切りつつ、複数の扁平管の並び方向における一方側の反分流空間と他方側の反導入空間とに第２空間を仕切っている。第２仕切部材は、導入空間と分流空間とを連通させる流入開口を有している。第１仕切部材は、導入空間と反導入空間とを連通させる均圧開口を有している。反導入空間は、均圧開口を介して導入空間とのみ連通している。導入空間（６１ａ）は、前記分流空間（６１ｂ）の下方に位置している。
【００１１】
また、反分流空間とは、分流を行わない空間という意味ではなく、分流空間側とは反対側に位置する空間という意味である。反導入空間も同様である。
【００１２】
なお、第２仕切部材は、一体的な１つの部材によって構成されているものに限られず、例えば、分流空間と導入空間とに第１空間を仕切る部分と反分流空間と反導入空間とに第２空間を仕切る部分との２つの部材によって構成されていてもよい。
【００１３】
この熱交換器では、第２仕切部材には、導入空間と分流空間とを連通させる流入開口が設けられている。このため、冷媒の蒸発器として機能している場合には、導入空間に到達した冷媒は、第２仕切部材の導入開口を介して分流空間へと流入する。ここで、導入空間から分流空間に流入する冷媒は一度狭い導入開口を通過することとなるため、分流空間に流入する冷媒の速度を高めることができている。
【００１４】
また、この熱交換器では、ヘッダ集合管の内部を上面視において扁平管側の第１空間とその反対側の第２空間とに第１仕切部材によって仕切られている。このため、このように第１仕切部材によって仕切られていない場合と比べて、蒸発器として機能している際に第１空間を上昇するように流れる冷媒の流路面積を小さくすることができ、上昇速度を確保して、第１空間の上方まで冷媒を到達させやすくすることができている。そして、この熱交換器が冷媒回路を備えた冷凍装置に用いられた場合には、冷媒回路の冷媒循環量が低循環量となり冷媒の流速が遅くなりがちな状況であっても、冷媒をヘッダ集合管内の上方まで到達させやすくすることができている。
【００１５】
そして、このように第２仕切部材の下方の空間が第１仕切部材によって導入空間と反導入空間に仕切られることで冷媒の流速が確保されている場合であっても、第１仕切部材には、導入空間と反導入空間とを連通させる均圧開口が設けられている。このため、導入空間と反導入空間とは完全に仕切られることで反導入空間が閉空間となってしまうことを防ぎ、導入空間の冷媒圧力と反導入空間の冷媒圧力との間に生じる圧力差を小さく抑えて、第１仕切部材の当該部分における疲労破壊を抑制させることが可能になっている。
【００１６】
これにより、冷媒の流路を狭めて上昇速度を確保するために第１仕切部材を設けた場合であっても、導入空間と反導入空間とを連通させて反導入空間を閉空間にしないことにより、第１仕切部材のうち導入空間と反導入空間との間の部分に作用する力を小さくして、疲労破壊を抑制することが可能になる。
【００１７】
また、この熱交換器では、導入空間からより上方の分流空間に向けて重力に逆らうように冷媒を流す場合であっても、流入開口において一度通過面積を狭めることができている。このため、導入空間からより上方の分流空間に向けて重力に逆らうように冷媒を流す場合であっても、分流空間に対して上方に向けて流入する冷媒の速度を高めて、分流空間内における冷媒の上昇速度を高めることが可能になる。
【００１８】
第２観点に係る熱交換器は、第１観点に係る熱交換器であって、均圧開口の下端は、導入空間に接続されている扁平管の端部の出口よりも下方に位置している。
【００１９】
この熱交換器では、反導入空間と導入空間とを連通している均圧開口が低めの位置に設けられている。このため、反導入空間に対して冷媒に含まれる冷凍機油が流れ込むことがあっても、反導入空間における冷凍機油の溜まり混みを抑制させることが可能になる。
【００２０】
第３観点に係る熱交換器は、第２観点に係る熱交換器であって、均圧開口の上端は、導入空間に接続されている扁平管の端部の出口よりも下方に位置している。
【００２１】
この熱交換器では、反導入空間と導入空間とを連通している均圧開口の上端が扁平管の端部の出口よりも低い位置に設けられているため、扁平管の長手方向に沿うように流れてきた冷媒が扁平管の端部の出口から流出した後も当該長手方向に向けて流れた場合であっても、当該冷媒は、第１仕切部材の面に衝突しやすく、第１仕切部材の均圧開口を通過しにくい。このため、扁平管から流出した冷媒に含まれる冷凍機油が反導入空間内に到達する量を抑制することが可能になる。
【００２２】
第４観点に係る熱交換器は、第１観点から第３観点のいずれかに係る熱交換器であって、熱交換器内の冷媒流れにおける冷媒の入口から冷媒の出口に至るまでの折返し地点近傍に、導入空間および分流空間が位置している。導入空間に接続されている扁平管の本数よりも、分流空間に接続されている扁平管の本数の方が多い。
【００２３】
この熱交換器では、気液二相状態の冷媒が状態変化しながら流れる熱交換器内の折返し地点近傍において、冷媒を上方に到達させやすくしつつ気体成分の比率が大きい部分ほどより多くの冷媒流路（パス）が設けられるように分流させる構成を採用している。そして、当該構造を、ヘッダ集合管内の簡易な構造で実現することが可能になっている。
【００２４】
第５観点に係る空気調和装置は、第１観点から第４観点のいずれかに係る熱交換器であって、第１仕切部材は、分流空間と反分流空間とを、上方において連通させる上連通口と、下方において連通させる下連通口と、を有している。
【００２５】
熱交換器を冷媒の蒸発器として機能させる場合において、冷媒が高循環量である場合には、分流空間内の上方に液相冷媒が偏ってしまう程度に流入開口を通過した冷媒の流速が早くなることがある。このような場合であっても、この熱交換器では、上連通口と下連通口がさらに設けられているため、この偏りを低減させることが可能になっている。すなわち、この熱交換器では、分流空間の上方に到達した液相冷媒を、上連通口を介して反分流空間に導き、反分流空間を降下させた後、下連通口を介して分流空間に戻すことが可能になる。したがって、高循環量の場合等のように流入開口を通過した冷媒の流速が早く、分流空間の上方に液相冷媒が集中してしまいそうになる場合であっても、複数の扁平管のそれぞれに流れる冷媒の偏流を小さく抑えることが可能になる。
【００２６】
また、この熱交換器では、冷媒の循環量が小さい場合のように冷媒流速がおそい時であっても、第１仕切部材によって分流空間の流路が狭められているために冷媒を分流空間の上方まで到達させやすくして、複数の扁平管のそれぞれに流れる冷媒の偏流を小さく抑えることが可能になる。
【００２７】
このように、この熱交換器では、冷媒の循環量が多い場合も少ない場合も、いずれの場合も複数の扁平管それぞれに流れる冷媒の偏流を抑制することが可能になる。
【００２８】
なお、冷凍装置は、第１観点から第６観点のいずれかに係る熱交換器と容量可変の圧縮機とが接続されて構成された冷媒回路を備えていてもよい。この冷凍装置では、容量可変の圧縮機が駆動することで、冷媒回路を流れる冷媒の循環量が変動し、熱交換器を通過する冷媒の量が変動する。ここで、熱交換器が蒸発器として機能する場合に、通過する冷媒の量が増大して液相冷媒の混合比率が増大したり、流速が高まることがあっても、熱交換器内における冷媒の偏流を小さく抑えることが可能になる。
【発明の効果】
【００２９】
第１観点に係る熱交換器では、冷媒の流路を狭めて上昇速度を確保するために第１仕切部材を設けた場合であっても、導入空間と反導入空間とを連通させて反導入空間を閉空間にしないことにより、第１仕切部材のうち導入空間と反導入空間との間の部分に作用する力を小さくして、疲労破壊を抑制することが可能になる。また、導入空間からより上方の分流空間に向けて重力に逆らうように冷媒を流す場合であっても、分流空間内における冷媒の上昇速度を高めることが可能になる。
【００３０】
第２観点に係る熱交換器では、反導入空間における冷凍機油の溜まり混みを抑制させることが可能になる。
【００３１】
第３観点に係る熱交換器では、扁平管から流出した冷媒に含まれる冷凍機油が反導入空間内に到達する量を抑制することが可能になる。
【００３２】
第４観点に係る熱交換器では、冷媒を上方に到達させやすくしつつ気体成分が多い部分ほどより多くのパスが設けられるように分流させる構成を、ヘッダ集合管内の簡易な構造で実現することが可能になっている。
【００３３】
第５観点に係る熱交換器では、冷媒の循環量が多い場合も少ない場合も、いずれの場合も複数の扁平管それぞれに流れる冷媒の偏流を抑制することが可能になる。
【図面の簡単な説明】
【００３４】
【図１】一実施形態に係る空気調和装置の構成の概要を説明するための回路図。
【図２】空調室外機の外観を示す斜視図。
【図３】空調室外機の各機器の配置を説明する概略上面断面図。
【図４】室外熱交換器の示す概略外観斜視図。
【図５】室外熱交換器における伝熱フィンの扁平多穴管に対する取付状態を示す概略斜視図。
【図６】折返しヘッダおよび連絡部の分解概略斜視図。
【図７】折返しヘッダおよび連絡部の拡大分解概略斜視図。
【図８】仕切部材を下連通口で切断した状態の仕切部材とバッフルの組合せ概略斜視図。
【図９】整流板と多穴側部材と配管側部材と仕切部材を組合せた上面図。
【図１０】折返しヘッダの第２上方折返し部分におけるループ構造および整流構造を示す概略断面図。
【図１１】折返しヘッダの第２下方折返し部分および第１上方折返し部分２４ｂａにおけるループ構造および整流構造を示す概略断面図。
【発明を実施するための形態】
【００３５】
（１）空気調和装置１の全体構成
図１は、本発明の一実施形態に係る空気調和装置１の構成の概要を示す回路図である。
【００３６】
空気調和装置１は、蒸気圧縮式の冷凍サイクル運転を行うことによって空調室内機３が設置されている建物内の冷暖房に使用される装置であり、熱源側ユニットとしての空調室外機２と、利用側ユニットとしての空調室内機３とが冷媒連絡配管６，７で接続されて構成されている。
【００３７】
空調室外機２と空調室内機３と冷媒連絡配管６，７とが接続されて構成される冷媒回路は、圧縮機９１、四路切換弁９２、室外熱交換器２０、膨張弁３３、室内熱交換器４およびアキュムレータ９３などが冷媒配管で接続されることで構成されている。この冷媒回路内には冷媒が封入されており、冷媒が圧縮され、冷却され、減圧され、加熱・蒸発された後に、再び圧縮されるという冷凍サイクル運転が行われるようになっている。冷媒としては、例えば、Ｒ４１０Ａ、Ｒ３２、Ｒ４０７Ｃ、Ｒ２２、Ｒ１３４ａ、二酸化炭素、などから選択されたものが用いられる。
【００３８】
（２）空気調和装置１の詳細構成
（２−１）空調室内機３
空調室内機３は、室内の壁面に壁掛け等により、又は、ビル等の室内の天井に埋め込みや吊り下げ等により設置される。空調室内機３は、室内熱交換器４と、室内ファン５とを有している。室内熱交換器４は、例えば伝熱管と多数のフィンとにより構成されたクロスフィン式のフィン・アンド・チューブ型熱交換器であり、冷房運転時には冷媒の蒸発器として機能して室内空気を冷却し、暖房運転時には冷媒の凝縮器として機能して室内空気を加熱する熱交換器である。
【００３９】
（２−２）空調室外機２
空調室外機２は、ビル等の室外に設置されており、冷媒連絡配管６，７を介して空調室内機３に接続される。空調室外機２は、図２および図３に示されているように、略直方体状のユニットケーシング１０を有している。
【００４０】
図３に示されているように、空調室外機２は、ユニットケーシング１０の内部空間を鉛直方向に延びる仕切板１８で二つに分割することによって送風機室Ｓ１と機械室Ｓ２とを形成した構造（いわゆる、トランク型構造）を有するものである。空調室外機２は、ユニットケーシング１０の送風機室Ｓ１内に配置された室外熱交換器２０および室外ファン９５を有しており、ユニットケーシング１０の機械室Ｓ２内に配置された圧縮機９１、四路切換弁９２、アキュムレータ９３、膨張弁３３、ガス冷媒配管３１、および、液冷媒配管３２を有している。
【００４１】
ユニットケーシング１０は、底板１２と、天板１１と、送風機室側の側板１３と、機械室側の側板１４と、送風機室側前板１５と、機械室側前板１６とを備えて、筐体を構成している。
【００４２】
空調室外機２は、ユニットケーシング１０の背面および側面の一部からユニットケーシング１０内の送風機室Ｓ１に室外空気を吸い込んで、吸い込んだ室外空気をユニットケーシング１０の前面から吹き出すように構成されている。具体的には、ユニットケーシング１０内の送風機室Ｓ１に対する吸込口１０ａおよび吸込口１０ｂが、送風機室側の側板１３の背面側の端部と機械室側の側板１４の送風機室Ｓ１側の端部とにわたって形成されている。また、吹出口１０ｃは、送風機室側前板１５に設けられており、その前側がファングリル１５ａによって覆われている。
【００４３】
圧縮機９１は、例えば圧縮機用モータによって駆動される密閉式圧縮機であり、インバータ制御によって運転容量を変化させることができるよう構成されている。
【００４４】
四路切換弁９２は、冷媒の流れの方向を切り換えるための機構である。冷房運転時には、四路切換弁９２は、圧縮機９１の吐出側の冷媒配管と室外熱交換器２０の一端（ガス側端部）から延びるガス冷媒配管３１とを接続するとともに、アキュムレータ９３を介してガス冷媒の冷媒連絡配管７と圧縮機９１の吸入側の冷媒配管とを接続する（図１の四路切換弁９２の実線を参照）。また、暖房運転時には、四路切換弁９２は、圧縮機９１の吐出側の冷媒配管とガス冷媒の冷媒連絡配管７とを接続するとともに、アキュムレータ９３を介して圧縮機９１の吸入側と室外熱交換器２０の一端（ガス側端部）から延びるガス冷媒配管３１とを接続する（図１の四路切換弁９２の破線を参照）。
【００４５】
室外熱交換器２０は、送風機室Ｓ１に上下方向（鉛直方向）に立てて配置され、吸込口１０ａ，１０ｂに対向している。室外熱交換器２０は、アルミニウム製の熱交換器であり、本実施形態では設計圧力が３ＭＰａ〜４ＭＰａ程度のものを用いている。室外熱交換器２０は、一端（ガス側端部）から、四路切換弁９２と接続されるように、ガス冷媒配管３１が延びている。また、室外熱交換器２０の他端（液側端部）から、膨張弁３３に接続されるように、液冷媒配管３２が延びている。
【００４６】
アキュムレータ９３は、四路切換弁９２と圧縮機９１との間に接続されている。アキュムレータ９３は、冷媒を気相と液相とに分ける気液分離機能を具備している。アキュムレータ９３に流入する冷媒は、液相と気相とに分かれ、上部空間に集まる気相の冷媒が圧縮機９１へと供給される。
【００４７】
室外ファン９５は、室外熱交換器２０を流れる冷媒との間で熱交換をさせるための室外空気を、室外熱交換器２０に対して供給する。
【００４８】
膨張弁３３は、冷媒回路において冷媒を減圧するための機構であり、開度調整が可能な電動弁である。膨張弁３３は、冷媒圧力や冷媒流量の調節を行うために、室外熱交換器２０と液冷媒の冷媒連絡配管６の間に設けられ、冷房運転時および暖房運転時のいずれにおいても、冷媒を膨張させる機能を有している。
【００４９】
室外ファン９５は、送風機室Ｓ１に室外熱交換器２０に対向して配置されている。室外ファン９５は、ユニット内に室外空気を吸入して、室外熱交換器２０において冷媒と室外空気との間で熱交換を行わせた後に、熱交換後の空気を室外に排出する。この室外ファン９５は、室外熱交換器２０に供給する空気の風量を可変することが可能なファンであり、例えば、ＤＣファンモータ等からなるモータによって駆動されるプロペラファン等である。
【００５０】
（３）空気調和装置１の動作
（３−１）冷房運転
冷房運転時は、四路切換弁９２が図１の実線で示される状態、すなわち、圧縮機９１の吐出側がガス冷媒配管３１を介して室外熱交換器２０のガス側に接続され、かつ、圧縮機９１の吸入側がアキュムレータ９３、冷媒連絡配管７を介して室内熱交換器４のガス側に対して接続された状態となっている。膨張弁３３は、室内熱交換器４の出口（すなわち、室内熱交換器４のガス側）における冷媒の過熱度が一定になるように開度調節されるようになっている（過熱度制御）。この冷媒回路の状態で、圧縮機９１、室外ファン９５および室内ファン５を運転すると、低圧のガス冷媒は、圧縮機９１で圧縮されることで高圧のガス冷媒となる。この高圧のガス冷媒は、四路切換弁９２を経由して室外熱交換器２０に送られる。その後、高圧のガス冷媒は、室外熱交換器２０において、室外ファン９５によって供給される室外空気と熱交換を行って凝縮して高圧の液冷媒となる。そして、過冷却状態になった高圧の液冷媒は、室外熱交換器２０から膨張弁３３に送られる。膨張弁３３によって圧縮機９１の吸入圧力近くまで減圧されて低圧の気液二相状態となった冷媒は、室内熱交換器４に送られ、室内熱交換器４において室内空気と熱交換を行って蒸発して低圧のガス冷媒となる。
【００５１】
この低圧のガス冷媒は、冷媒連絡配管７を経由して空調室外機２に送られ、再び、圧縮機９１に吸入される。このように冷房運転では、空気調和装置１は、室外熱交換器２０を圧縮機９１において圧縮される冷媒の凝縮器として、かつ、室内熱交換器４を室外熱交換器２０において凝縮された冷媒の蒸発器として機能させる。
【００５２】
なお、冷房運転時の冷媒回路では、膨張弁３３の過熱度制御が行われつつ、設定温度となるように（冷房負荷を処理できるように）圧縮機９１がインバータ制御されているため、冷媒の循環量が高循環量となる場合と低循環量になる場合がある。
【００５３】
（３−２）暖房運転
暖房運転時は、四路切換弁９２が図１の破線で示される状態、すなわち、圧縮機９１の吐出側が冷媒連絡配管７を介して室内熱交換器４のガス側に接続され、かつ、圧縮機９１の吸入側がガス冷媒配管３１を介して室外熱交換器２０のガス側に接続された状態となっている。膨張弁３３は、室内熱交換器４の出口における冷媒の過冷却度が過冷却度目標値で一定になるように開度調節されるようになっている（過冷却度制御）。この冷媒回路の状態で、圧縮機９１、室外ファン９５および室内ファン５を運転すると、低圧のガス冷媒は、圧縮機９１に吸入されて圧縮されて高圧のガス冷媒となり、四路切換弁９２、および、冷媒連絡配管７を経由して、空調室内機３に送られる。
【００５４】
そして、空調室内機３に送られた高圧のガス冷媒は、室内熱交換器４において、室内空気と熱交換を行って凝縮して高圧の液冷媒となった後、膨張弁３３を通過する際に、膨張弁３３の弁開度に応じて減圧される。この膨張弁３３を通過した冷媒は、室外熱交換器２０に流入する。そして、室外熱交換器２０に流入した低圧の気液二相状態の冷媒は、室外ファン９５によって供給される室外空気と熱交換を行って蒸発して低圧のガス冷媒となり、四路切換弁９２を経由して、再び、圧縮機９１に吸入される。このように暖房運転では、空気調和装置１は、室内熱交換器４を圧縮機９１において圧縮される冷媒の凝縮器として、かつ、室外熱交換器２０を室内熱交換器４において凝縮された冷媒の蒸発器として機能させる。
【００５５】
なお、暖房運転時の冷媒回路では、膨張弁３３の過冷却度制御が行われつつ、設定温度となるように（暖房負荷を処理できるように）圧縮機９１がインバータ制御されているため、冷媒の循環量が高循環量となる場合、低循環量になる場合がある。
【００５６】
（４）室外熱交換器２０の詳細構成
（４−１）室外熱交換器２０の全体構成
図４に、室外熱交換器２０の概略外観斜視図を示す。また、図５に、伝熱フィン２１ａの扁平多穴管２１ｂに対する取付状態を示す。
【００５７】
室外熱交換器２０は、室外空気と冷媒との熱交換を行わせる熱交換部２１と、この熱交換部２１の一端側に設けられた出入口ヘッダ集合管２６および折返しヘッダ２４と、この熱交換部２１の他端側に設けられた連結ヘッダ２３と、折返しヘッダ２４の下部と折返しヘッダ２４の上部を連結させる連絡部２５と、出入口ヘッダ集合管２６の下方に分流された冷媒を導く分流器２２と、を備えている。
【００５８】
（４−２）熱交換部２１
熱交換部２１は、多数の伝熱フィン２１ａと多数の扁平多穴管２１ｂとで構成されている。伝熱フィン２１ａおよび扁平多穴管２１ｂは、いずれもアルミニウム製もしくはアルミニウム合金製である。
【００５９】
伝熱フィン２１ａは、平板部材であり、各伝熱フィン２１ａには水平方向に延びる扁平管挿入用の切り欠き２１ａａが上下方向に並べて複数形成されている。なお、伝熱フィン２１ａは、空気流れの上流側に向けて突出した部分を無数に有するように取り付けられている。
【００６０】
扁平多穴管２１ｂは、伝熱管として機能し、伝熱フィン２１ａと室外空気との間を移動する熱を、内部を流れる冷媒に伝達する。この扁平多穴管２１ｂは、伝熱面となる上下の平面部と、冷媒が流れる複数の流入口２１ｂａを有している。このような形状を有する扁平多穴管２１ｂは、複数設けられており、これら複数が鉛直方向に所定の間隔をあけて配置されている。切り欠き２１ａａの上下の幅よりもわずかに厚くなるように構成された扁平多穴管２１ｂは、平面部を上下に向けた状態で、間隔をあけて複数段配列され、切り欠き２１ａａに嵌め込まれた状態で仮固定される。このように、伝熱フィン２１ａの切り欠き２１ａａに扁平多穴管２１ｂが嵌め込まれた仮固定の状態で、伝熱フィン２１ａと扁平多穴管２１ｂとがロウ付けされる。また、各扁平多穴管２１ｂの両端は、出入口ヘッダ集合管２６と折返しヘッダ２４と連結ヘッダ２３に嵌め込まれた状態でロウ付けされる。
【００６１】
図５に示されているように、伝熱フィン２１ａは、上下に繋がっているため、伝熱フィン２１ａや扁平多穴管２１ｂで生じた結露は、伝熱フィン２１ａに沿って下方に滴り落ち、底板１２に形成されている経路を通って外部に排出される。
【００６２】
なお、この熱交換部２１は、室外ファン９５によって生じる空気流れ方向（筐体の背面および左側面側から筐体の正面のファングリル１５ａに向かう流れ）において、風上側を縁取るように設けられた風上側熱交換部２１１と、風下側を縁取るように設けられた風下側熱交換部２１２と、を有しており、２列並ぶように構成されている。風上側熱交換部２１１は、風上側を縁取るように延びており上下方向に並んだ複数の扁平多穴管２１ｂと、この扁平多穴管２１ｂに固定された伝熱フィン２１ａとを有している。また、風下側熱交換部２１２は、同様に、風下側を縁取るように延びており上下方向に並んだ複数の扁平多穴管２１ｂと、この扁平多穴管２１ｂに固定された伝熱フィン２１ａとを有している。
【００６３】
（４−３）分流器２２
分流器２２は、液冷媒配管３２と出入口ヘッダ集合管２６の下方部分とを連結させるように接続されており、例えば室外熱交換器２０が冷媒の蒸発器として機能する際には液冷媒配管３２から流れてきた冷媒を高さ方向に分流させて出入口ヘッダ集合管２６の下方部分に導く。
【００６４】
（４−４）出入口ヘッダ集合管２６
出入口ヘッダ集合管２６は、鉛直方向に延びるアルミニウム製もしくはアルミニウム合金製の筒状部材であり、室外熱交換器２０への冷媒の入口側部分と出口側部分を上下に分けて有している。出入口ヘッダ集合管２６の下方部分は、上述のように液冷媒配管３２に対して分流器２２を介して接続されている。出入口ヘッダ集合管２６の上方部分は、ガス冷媒配管３１に対して接続されている。出入口ヘッダ集合管２６は、略円筒形状に形成されており、上方部分の内部空間と下方部分の内部空間とが内部に設けられたバッフルによって上下に仕切られている。また、出入口ヘッダ集合管２６の下方部分は、分流器２２によって分流された冷媒の分布が維持されるように、複数のバッフルによって上下に仕切られている。すなわち、分流器２２によって上下に分けられた各冷媒流れそれぞれを分けたままで熱交換部２１に流せるように構成されている。
【００６５】
以上の構成により、室外熱交換器２０が冷媒の蒸発器として機能する場合には、液冷媒配管３２と分流器２２と出入口ヘッダ集合管２６の下方部分を介して熱交換部２１に流入して蒸発した冷媒は、出入口ヘッダ集合管２６の上方部分とガス冷媒配管３１を介して室外熱交換器２０の外部に流出していくことになる。なお、室外熱交換器２０が冷媒の放熱器として機能している場合には、上記とは逆の流れになる。
【００６６】
（４−５）連結ヘッダ２３
連結ヘッダ２３は、熱交換部２１の出入口ヘッダ集合管２６や折返しヘッダ２４が設けられている側（図３でいう左上側）の端部とは反対側（図３でいう右下側）に設けられており、風上側熱交換部２１１の扁平多穴管２１ｂを流れた冷媒を同じ高さ位置の風下側熱交換部２１２の扁平多穴管２１ｂに導くか、風下側熱交換部２１２の扁平多穴管２１ｂを流れた冷媒を同じ高さ位置の風上側熱交換部２１１の扁平多穴管２１ｂに導くように構成されている。この連結ヘッダ２３では、冷媒の上下方向の移動は生じず、室外熱交換器２０内における冷媒の流路を同じ高さ位置で単に繋ぐ役割を果たしている。
【００６７】
（４−６）折返しヘッダ２４
折返しヘッダ２４は、熱交換部２１の連結ヘッダ２３が設けられている側の端部とは反対側の端部であって、出入口ヘッダ集合管２６よりも風下側において上下方向に延びるように設けられており、長手方向が鉛直方向となっている。この折返しヘッダ２４は、熱交換部２１のうちの風下側熱交換部２１２の連結ヘッダ２３側とは反対側の端部に接続されている。折返しヘッダ２４もアルミニウム製もしくはアルミニウム合金製の部材である。
【００６８】
折返しヘッダ２４は、図６の折返しヘッダ２４および連絡部２５の分解概略斜視図や、図７の折返しヘッダ２４および連絡部２５の拡大分解概略斜視図に示すように、複数の扁平多穴管２１ｂの一端が接続されている多穴側部材６１と、扁平多穴管２１ｂが接続されている側とは反対側を構成する配管側部材６２と、多穴側部材６１と配管側部材６２との間に位置する仕切部材７０と、折返しヘッダ２４内部の空間を上下に仕切っている複数のバッフル８０と、を有している。
【００６９】
折返しヘッダ２４は、これらの複数の部材を組合せることで構成される鉛直方向に長い構造物であるが、仕切部材７０以外の各部材が主として１つの部品である仕切部材７０に対して固定されるため、互いの位置決めを行いやすく、強度を確保しやすく、鉛直方向に長い構造であっても製造を容易にすることができている。
【００７０】
多穴側部材６１は、熱交換部２１側の折返しヘッダ２４の壁面を構成しており、上面視において略半円弧形状に形成されている。この多穴側部材６１は、この半円弧形状が上下方向に延びた形状を有しており、扁平多穴管２１ｂを挿入するための板厚方向に貫通した開口が高さ位置毎に複数設けられている。
【００７１】
配管側部材６２は、熱交換部２１側とは反対側の折返しヘッダ２４の壁面を構成しており、上面視において略半円弧形状に形成されている。この配管側部材６２は、この半円弧形状が上下方向に延びた形状を有しており、後述する連絡部２５の連絡配管を挿入するための板厚方向に貫通した開口が高さ位置毎に複数設けられている。また、この配管側部材６２には、バッフル８０の一端側を固定するための開口が高さ位置毎にそれぞれ設けられている。
【００７２】
仕切部材７０は、折返しヘッダ２４の内部の空間を、多穴側部材６１側の空間（第１空間）と配管側部材６２側の空間（第２空間）とに水平方向に仕切るように上下に延びている。仕切部材７０には、バッフル８０を挿入固定するための開口が高さ位置毎に設けられている。図８において、バッフル８０と下連通口７２付近で水平方向に切断された仕切部材７０とが組合わされた状態の概略斜視図を示す。図９において、バッフル８０のうちの整流板８２と多穴側部材６１と配管側部材６２と仕切部材７０が組合わされた状態の上面図を示す。図８、図９に示すように、仕切部材７０は、多穴側部材６１側の面である多穴側面７０ａと、配管側部材６２側の面である配管側面７０ｂと、を有している。この多穴側面７０ａの中央近傍には、多穴側部材６１側に向けて膨出した多穴側凸部７０ｘが形成されており、開口部分を除いて当該多穴側凸部７０ｘは上下方向に延びている。また、配管側面７０ｂの中央近傍には、配管側部材６２側に向けて膨出した配管側凸部７０ｙが形成されており、開口部分を除いて当該配管側凸部７０ｙは上下方向に延びている。このように仕切部材７０は上面視において多穴側部材６１側と配管側部材６２側とが対象的な形状を構成しているため、製造時に部材の配置向きを間違えることが無い。
【００７３】
折返しヘッダ２４は、図６や図７に示すように、下方折返し部分２４ａと上方折返し部分２４ｂとを有しており、内部空間が上下方向に分割されている。下方折返し部分２４ａの内部空間は、下方の第１下方折返し部分２４ａａと上方の第２下方折返し部分２４ａｂとに、さらに上下方向に分割されている。上方折返し部分２４ｂの内部空間も、下方の第１上方折返し部分２４ｂａと上方の第２上方折返し部分２４ｂｂとに、さらに上下方向に分割されている。そして、室外熱交換器２０が冷媒の蒸発器として機能する場合には、熱交換部２１から第１下方折返し部分２４ａａに流入した冷媒は後述する連絡部２５の連絡配管を介して第２上方折返し部分２４ｂｂに送られ、熱交換部２１から第２下方折返し部分２４ａｂに流入した冷媒は連絡部２５を介することなく折返しヘッダ２４内の空間を介して第１上方折返し部分２４ｂａに送られ、第２上方折返し部分２４ｂｂや第１上方折返し部分２４ｂａに送られた冷媒は再び熱交換部２１に送られる。
【００７４】
ここで、下方折返し部分２４ａの第１下方折返し部分２４ａａに接続された扁平多穴管２１ｂの本数よりも、上方折返し部分２４ｂの第２上方折返し部分２４ｂｂに接続された扁平多穴管２１ｂの本数の方が多くなるように構成されている。また、下方折返し部分２４ａの第２下方折返し部分２４ａｂに接続された扁平多穴管２１ｂの本数よりも、上方折返し部分２４ｂの第１上方折返し部分２４ｂａに接続された扁平多穴管２１ｂの本数の方が多くなるように構成されている。
【００７５】
下方折返し部分２４ａの第１下方折返し部分２４ａａの内部には、複数の流路が上下に分かれて配置されている。第１下方折返し部分２４ａａの内部では、熱交換部２１を流れる上下方向の冷媒分布を維持させるために、複数の流路の１つ１つが、開口が形成されていない複数のバッフル８０によって上下方向に仕切られつつ、上下方向に並んでいる。
【００７６】
下方折返し部分２４ａの第１下方折返し部分２４ａａと第２下方折返し部分２４ａｂとは、開口が形成されていないバッフル８０によって上下に仕切られている。
【００７７】
下方折返し部分２４ａと上方折返し部分２４ｂとは（下方折返し部分２４ａの第２下方折返し部分２４ａｂと上方折返し部分２４ｂの第１上方折返し部分２４ｂａとは）、板厚方向に貫通した上昇用開口８２ａ、８２ｂが形成されているバッフル８０（整流板８２）によって上下に仕切られている。
【００７８】
ここで、下方折返し部分２４ａの第２下方折返し部分２４ａｂの内部空間は、図１０に示すように、仕切部材７０によって仕切られた、扁平多穴管２１ｂ側の第１導入空間６１ａと、扁平多穴管２１ｂ側とは反対側の第２導入空間６２ａと、を有している。
【００７９】
上方折返し部分２４ｂのうち、第１上方折返し部分２４ｂａと第２上方折返し部分２４ｂｂとは、開口が形成されていないバッフル８０によって上下に仕切られている。
【００８０】
ここで、上方折返し部分２４ｂの第１上方折返し部分２４ｂａの内部空間は、図１０に示すように、仕切部材７０によって仕切られた、扁平多穴管２１ｂ側の上昇用空間６１ｂと、扁平多穴管２１ｂ側とは反対側の下降用空間６２ｂと、を有している。
【００８１】
上方折返し部分２４ｂの第２上方折返し部分２４ｂｂの内部には、複数の流路が上下に別れて配置されている。第２上方折返し部分２４ｂｂの内部では、熱交換部２１を流れる上下方向の冷媒分布を維持させるために、複数の流路の１つ１つが、開口が形成されていない複数のバッフル８０（図７の下方仕切板８１、上方仕切板８３）によって上下方向に仕切られつつ、上下方向に並んでいる。なお、後述の図１１に示すように、第２上方折返し部分２４ｂｂの内部に設けられた複数の流路のうちの１つの流路は、後述する第１導入空間６１ａと第２導入空間６２ａと上昇用空間６１ｂと下降用空間６２ｂを一組とする空間（一組の空間）を有するようにして構成されている。このため、この上方折返し部分２４ｂの第２上方折返し部分２４ｂｂの内部では、この１つの流路を構成する一組の空間が上下方向に複数並ぶようにして構成されている。そして、図７に示すように、第２上方折返し部分２４ｂｂ内における一組の空間それぞれは、上昇用開口８２ａ、８２ｂが形成されている整流板８２によって内部が上下方向に仕切られている。
【００８２】
なお、整流板８２には、複数の上昇用開口８２ａ、８２ｂが設けられており、これらの開口の中心が上面視において扁平多穴管２１ｂの長手方向に垂直な方向に並んで配置されている。整流板８２は、その上面および下面が、多穴側部材６１や配管側部材６２や仕切部材７０の長手方向に対して垂直な方向に広がるように設けられている。複数の上昇用開口８２ａ、８２ｂの中心間距離は、仕切部材７０に形成された下連通口７２の開口（上面視において扁平多穴管２１ｂの長手方向に垂直な方向の幅）よりも長くなるように、下連通口７２とはずれるように配置されている。この整流板８２の上昇用開口８２ａ、８２ｂは、いずれも、上面視において扁平多穴管２１ｂと重複部分を有するように位置している。本実施形態では、上面視において、上昇用開口８２ａ、８２ｂは、その７０％以上９０％以下の部分が扁平多穴管２１ｂと重複している。
【００８３】
なお、下方仕切板８１と上方仕切板８３とは、いずれもバッフル８０の１つであり、いずれも開口が形成されていない同じ形状・寸法のバッフル８０であるが、説明の都合上、説明対象となる一組の空間において下端を構成するバッフル８０を下方仕切板８１として、上端を構成するバッフル８０を上方仕切板８３として説明する。なお、ある一組の空間の上方仕切板８３は、その一つ上の一組の空間の下方仕切板８１としても機能することになる。
【００８４】
図１０に、折返しヘッダ２４の下方折返し部分２４ａの第２下方折返し部分２４ａｂおよび上方折返し部分２４ｂの第１上方折返し部分２４ｂａを図９のＸ−Ｘ断面で切断した場合の正面図を示す。
【００８５】
この図１０に示すように、折返しヘッダ２４の下方折返し部分２４ａの第２下方折返し部分２４ａｂには、上昇用開口８２ａ、８２ｂが形成された整流板８２と下方仕切板８１とによって上下に囲まれた空間として、第１導入空間６１ａおよび第２導入空間６２ａが設けられている。第１導入空間６１ａと第２導入空間６２ａとは、仕切部材７０によって仕切られており、第１導入空間６１ａが仕切部材７０に対して扁平多穴管２１ｂ側に位置し、第２導入空間６２ａが仕切部材７０に対して扁平多穴管２１ｂ側に位置している。ここで、仕切部材７０のうち、この第１導入空間６１ａと第２導入空間６２ａとの間に位置している部分には、第１導入空間６１ａと第２導入空間６２ａとを連通させて均圧させるための開口である均圧開口７４が形成されている。上述のように、下方折返し部分２４ａの第２下方折返し部分２４ａｂと、上方折返し部分２４ｂの第１上方折返し部分２４ｂａと、は、連絡部２５の連絡配管等を介することなく、折返しヘッダ２４の内部で連絡しているため、この第２導入空間６２ａには連絡部２５の連絡配管は接続されていない。すなわち、下方折返し部分２４ａの第２下方折返し部分２４ａｂの第２導入空間６２ａは、均圧開口７４を介してのみ第２導入空間６２ａ以外の空間と連通している。下方折返し部分２４ａの第２下方折返し部分２４ａｂの第２導入空間６２ａは、上方折返し部分２４ｂの第２上方折返し部分２４ｂｂの下降用空間６２ｂと連通していないことが好ましく、下方折返し部分２４ａの第１下方折返し部分２４ａａ内の空間と連通していないことが好ましい。
【００８６】
ここで、均圧開口７４の下端は、第１導入空間６１ａに接続されている扁平多穴管２１ｂの出口（扁平多穴管２１ｂの端部の出口の縁の内側）よりもさらに低い位置に配置されている。これにより、冷媒と共に冷凍機油が第２導入空間６２ａに流入したとしても、第２導入空間６２ａから再び第１導入空間６１ａ側に流出させやすくし、冷凍機油の第２導入空間６２ａでの溜まり混みを抑制することができている。特に、本実施形態では、均圧開口７４の上端が、第１導入空間６１ａに接続されている扁平多穴管２１ｂの出口（扁平多穴管２１ｂの端部の出口の縁の内側）よりもさらに低い位置に配置されている。これにより、扁平多穴管２１ｂの長手方向に沿うように流れてきた冷媒が扁平多穴管２１ｂの端部の出口から流出した後も当該長手方向に向けて流れた場合であっても、当該冷媒は、仕切部材７０の多穴側面７０ａに衝突しやすく、仕切部材７０の均圧開口７４を通過しにくい。このため、扁平多穴管２１ｂから流出した冷媒に含まれる冷凍機油が第２導入空間６２ａに流入する量を抑制することが可能になっている。
【００８７】
なお、特に限定されないが、上面視において、均圧開口７４を扁平多穴管２１ｂの長手方向に延長して得られる領域と、整流板８２の上昇用開口８２ａ、８２ｂと、が重複しない位置に均圧開口７４が設けられていてもよい。この場合には、整流板８２の上昇用開口８２ａ、８２ｂを通過しようとして集まってくる冷媒が、均圧開口７４を介して第２導入空間６２ａ側に向けて流れてしまうことを抑制することができる。
【００８８】
また、折返しヘッダ２４の上方折返し部分２４ｂの第１上方折返し部分２４ｂａには、上昇用開口８２ａ、８２ｂが形成された整流板８２と上方仕切板８３とによって上下に囲まれた空間として、上昇用空間６１ｂおよび下降用空間６２ｂが設けられている。上昇用空間６１ｂと下降用空間６２ｂとは、上連通口７３および下連通口７２が形成された仕切部材７０によって仕切られている。上連通口７３は、この上昇用空間６１ｂと下降用空間６２ｂとを、上方において連通させる。下連通口７２は、この上昇用空間６１ｂと下降用空間６２ｂとを、下方において連通させる。
【００８９】
ここで、上方折返し部分２４ｂの第１上方折返し部分２４ｂａに接続された扁平多穴管２１ｂの本数は、下方折返し部分２４ａの第２下方折返し部分２４ａｂに接続された扁平多穴管２１ｂの本数よりも多くなるように構成されており、第１上方折返し部分２４ｂａでは冷媒をできるだけ均等に分流させている。
【００９０】
図１１に、折返しヘッダ２４の上方折返し部分２４ｂの第２上方折返し部分２４ｂｂを図９のＸ−Ｘ断面で切断した場合の正面図を示す。
【００９１】
この図１１に示すように、折返しヘッダ２４の上方折返し部分２４ｂの第２上方折返し部分２４ｂｂにおいても同様に、上昇用開口８２ａ、８２ｂが形成された整流板８２と下方仕切板８１とによって上下に囲まれた空間として、第１導入空間６１ａおよび第２導入空間６２ａが設けられている。第１導入空間６１ａと第２導入空間６２ａとは、仕切部材７０によって仕切られており、第１導入空間６１ａが仕切部材７０に対して扁平多穴管２１ｂ側に位置し、第２導入空間６２ａが仕切部材７０に対して扁平多穴管２１ｂ側に位置している。ここで、仕切部材７０のうち、この第１導入空間６１ａと第２導入空間６２ａとの間に位置している部分には、第１導入空間６１ａと第２導入空間６２ａとの間で冷媒の行き来を可能にするための導入連通口７１が形成されている。上述のように、上方折返し部分２４ｂの第２上方折返し部分２４ｂｂは、下方折返し部分２４ａの第１下方折返し部分２４ａａと、連絡部２５の連絡配管等を介して複数の流路が一対一に接続されており、この第２導入空間６２ａには連絡部２５の連絡配管が接続されている。
【００９２】
また、折返しヘッダ２４の第２上方折返し部分２４ｂｂには、上昇用開口８２ａ、８２ｂが形成された整流板８２と上方仕切板８３とによって上下に囲まれた空間として、上昇用空間６１ｂおよび下降用空間６２ｂが設けられている。上昇用空間６１ｂと下降用空間６２ｂとは、上連通口７３および下連通口７２が形成された仕切部材７０によって仕切られている。上連通口７３は、この上昇用空間６１ｂと下降用空間６２ｂとを、上方において連通させる。下連通口７２は、この上昇用空間６１ｂと下降用空間６２ｂとを、下方において連通させる。
【００９３】
ここで、上方折返し部分２４ｂの第２上方折返し部分２４ｂｂに接続された扁平多穴管２１ｂの本数は、下方折返し部分２４ａの第１下方折返し部分２４ａａに接続された扁平多穴管２１ｂの本数よりも多くなるように構成されており、第２上方折返し部分２４ｂｂでは冷媒をできるだけ均等に分流させている。
【００９４】
（４−７）連絡部２５
連絡部２５は、折返しヘッダ２４の下方折返し部分２４ａの第１下方折返し部分２４ａａにおいて上下方向に複数に分割された各空間と、折返しヘッダ２４の上方折返し部分２４ｂの第２上方折返し部分２４ｂｂにおいて上下方向に複数に並んで配置されている第１導入空間６１ａと第２導入空間６２ａと上昇用空間６１ｂと下降用空間６２ｂを一組とする空間（一組の空間）それぞれと、を一対一に接続する連絡配管をそれぞれ有している。
【００９５】
この連絡配管は、下方折返し部分２４ａの第１下方折返し部分２４ａａにおいて下方に位置する空間ほど、上方折返し部分２４ｂの第２上方折返し部分２４ｂｂにおいて上方に位置する一組の空間に接続されるように設けられている。
【００９６】
ここで、室外熱交換器２０が冷媒の蒸発器として機能する場合には、図６に矢印で示すように、熱交換部２１のうちの風下側熱交換部２１２の下方部分を流れる各冷媒流れは、分流状態を維持したままで、まず下方折返し部分２４ａの各空間に流入する。下方折返し部分２４ａの第１下方折返し部分２４ａａの各空間に流入した各冷媒は、それぞれ一対一に設けられた連絡部２５の連絡配管を介して、それぞれが対応する上方折返し部分２４ｂの第２上方折返し部分２４ｂｂにおける一組の空間に送られる。上方折返し部分２４ｂの第２上方折返し部分２４ｂｂにおける一組の空間に送られたそれぞれの冷媒流れは、その分流状態を維持したままで、再び熱交換部２１のうちの風下側熱交換部２１２の上方部分へと流れていく。なお、室外熱交換器２０が冷媒の放熱器として機能する場合には、上昇用空間６１ｂと下降用空間６２ｂを除いて、上記とは反対の冷媒流れとなる。
【００９７】
ここで、下方折返し部分２４ａのうちの最も上方に位置する第２下方折返し部分２４ａｂと、上方折返し部分２４ｂ内の最も下方に位置する第１上方折返し部分２４ｂａとは、連絡部２５の連絡配管によっては接続されておらず、上下方向に貫通した上昇用開口８２ａ、８２ｂが設けられた整流板８２によって仕切られている。この整流板８２が上昇用開口８２ａ、８２ｂを有していることにより、第２下方折返し部分２４ａｂの冷媒は、折返しヘッダ２４内から外に出ること無く、第１上方折返し部分２４ｂａに送られる（逆の流れも同様）。
【００９８】
このように、折返しヘッダ２４は、室外熱交換器２０における入口から出口に至までの冷媒流れ経路におけるちょうど折返し部分を構成していることになる。
【００９９】
なお、室外熱交換器２０が冷媒の蒸発器として機能する場合において、折返しヘッダ２４から風下側熱交換部２１２の上方部分へと流出した冷媒は、図６に矢印で示すように、風下側熱交換部２１２の上方部分を他端の連結ヘッダ２３まで分流状態を維持したままで流れ、連結ヘッダ２３において風上側熱交換部２１１側に移動して風上側熱交換部２１１の上方部分を出入口ヘッダ集合管２６の上方部分に向けて分流状態を維持したままで流れる。そして、出入口ヘッダ集合管２６の上方部分に流入したそれぞれの冷媒は、合流した後、ガス冷媒配管３１を介して圧縮機９１の吸入側に向けて流れていくことになる。
【０１００】
（５）折返しヘッダ２４のループ構造等
以下、図１０にもとづいて、折返しヘッダ２４の下方折返し部分２４ａの第２下方折返し部分２４ａｂおよび上方折返し部分２４ｂの第１上方折返し部分２４ｂａにおける、第１導入空間６１ａと第２導入空間６２ａと上昇用空間６１ｂと下降用空間６２ｂを一組とする空間（一組の空間）に着目してループ構造を説明する。
【０１０１】
図１０では、折返しヘッダ２４の下方折返し部分２４ａの第２下方折返し部分２４ａｂおよび上方折返し部分２４ｂの第１上方折返し部分２４ｂａ内のループ構造および整流構造が示された概略断面図（折返しヘッダ２４を図９のＸ−Ｘ断面で切断した場合の正面図）を示す。
【０１０２】
整流板８２は、折返しヘッダ２４の内部を下方折返し部分２４ａの第２下方折返し部分２４ａｂと上方折返し部分２４ｂの第１上方折返し部分２４ｂａ内の一組の空間を、下方の第１導入空間６１ａおよび第２導入空間６２ａと、上方の上昇用空間６１ｂおよび下降用空間６２ｂと、に上下に仕切っている板状部材である。
【０１０３】
仕切部材７０は、第１導入空間６１ａと第２導入空間６２ａとを、多穴側部材６１側の第１導入空間６１ａと、配管側部材６２側の第２導入空間６２ａとに仕切っている。また、仕切部材７０は、上昇用空間６１ｂと下降用空間６２ｂとを、多穴側部材６１側の上昇用空間６１ｂと、配管側部材６２側の下降用空間６２ｂとに仕切っている。
【０１０４】
また、仕切部材７０には、下方折返し部分２４ａの第２下方折返し部分２４ａｂにおいて、第１導入空間６１ａと第２導入空間６２ａとを連通させる均圧開口７４と、上昇用空間６１ｂと下降用空間６２ｂとを上方で連通させる上連通口７３と下方で連通させる下連通口７２と、が設けられている。本実施形態では、これらの均圧開口７４と上連通口７３と下連通口７２とは、いずれも水平方向に延びている。
【０１０５】
第２導入空間６２ａは、連絡部２５の連絡配管が接続されておらず、均圧開口７４を介して第１導入空間６１ａとのみ連通している。
【０１０６】
ここで、整流板８２は、整流板８２の上方の最も近くに位置する扁平多穴管２１ｂ（最下段扁平管）と整流板８２との上下方向の距離が、鉛直方向に複数並んで配置されている扁平多穴管２１ｂの所定の間隔よりも短くなるように配置されている。
【０１０７】
また、この下連通口７２の上昇用空間６１ｂ側の出口は、上昇用空間６１ｂに接続されている扁平多穴管２１ｂのうち最も下に位置するもの（最下段扁平管）よりもさらに下方に位置している。
【０１０８】
整流板８２には、第１導入空間６１ａと上昇用空間６１ｂとを連通させるように鉛直方向に延びた開口である上昇用開口８２ａ，８２ｂが設けられている。第１導入空間６１ａからより上方の上昇用空間６１ｂに向かう冷媒は、この整流板８２において流路を絞るノズルのようにして設けられた上昇用開口８２ａ，８２ｂを通過するために、冷媒流れが十分に絞り込まれ、鉛直上方に向かう冷媒流速を増大させることができている。
【０１０９】
また、上昇用空間６１ｂは、仕切部材７０によって下降用空間６２ｂと仕切られることで、上昇用空間６１ｂ側における冷媒上昇時の通過面積を、上昇用空間６１ｂと下降用空間６２ｂの合計の水平面積よりも狭くすることができている。このため、上昇用開口８２ａ，８２ｂを介して上昇用空間６１ｂに流入した冷媒の上昇速度を維持させやすく、低循環量下においても冷媒を上昇用空間６１ｂの上方部分にまで到達させやすい。
【０１１０】
ここで、「上昇用空間６１ｂの扁平多穴管２１ｂが存在しない高さ位置での水平面積」から「扁平多穴管２１ｂのうち上昇用空間６１ｂ内に延び出している部分の水平面積」を差し引いた残りの面積（上昇用空間６１ｂにおいて冷媒が扁平多穴管２１ｂを避けて上昇する部分の面積）が、下連通口７２の冷媒通過面積よりも大きくなるように構成されている。これにより、整流板８２の上昇用開口８２ａ，８２ｂを介して上昇用空間６１ｂに流入した冷媒は、より狭く通過しづらい下連通口７２を介して下降用空間６２ｂ側に向かって逆流してしまうのではなく、より広く通過しやすい上昇用空間６１ｂにおける扁平多穴管２１ｂを除いた部分を流れることになる。しかも、整流板８２の上昇用開口８２ａ，８２ｂは、下連通口７２と重複しない（整流板８２の上昇用開口８２ａ，８２ｂと、下連通口７２を扁平多穴管２１ｂの長手方向に延長して得られる領域と、は上面視において重複しない）ように配置されているため、下連通口７２を介して下降用空間６２ｂ側に向かう逆流を効果的に抑制できる。
【０１１１】
また、整流板８２に設けられた上昇用開口８２ａ，８２ｂと、上昇用開口８２ａ，８２ｂよりも上方に位置しており上昇用開口８２ａ，８２ｂから最も近い直上の扁平多穴管２１ｂ（最下段扁平管）は、上面視において重複部分を有するように配置されている。なお、この重複部分の上面視における面積は、上昇用開口８２ａ，８２ｂと直上の扁平多穴管２１ｂとの上面視における非重複部分の面積よりも大きくなるように配置されている。なお、特に限定されるものではないが、本実施形態では、上面視において、上昇用開口８２ａ，８２ｂの７割以上が扁平多穴管２１ｂ（最下段扁平管）と重複するように設けられている。
【０１１２】
また、仕切部材７０には上連通口７３と下連通口７２が形成されることでループ構造が採用されている。このため、上昇用空間６１ｂにおいて扁平多穴管２１ｂに流入することなく上方まで到達した冷媒は、図１０の矢印に示すように、上連通口７３を介して下降用空間６２ｂに導かれ、下降用空間６２ｂにおいて重力に従って降下し、下連通口７２を介して上昇用空間６１ｂの下方に戻される。このようにして、上昇用空間６１ｂの上方に到達した冷媒を再び上昇用空間６１ｂの下方に戻してループさせることが可能になっている。
【０１１３】
なお、上記では、図１０にもとづいて、折返しヘッダ２４の下方折返し部分２４ａの第２下方折返し部分２４ａｂおよび上方折返し部分２４ｂの第１上方折返し部分２４ｂａにおける、第１導入空間６１ａと第２導入空間６２ａと上昇用空間６１ｂと下降用空間６２ｂを一組とする空間（一組の空間）のループ構造を説明したが、図１１で示す上方折返し部分２４ｂの第２上方折返し部分２４ｂｂにおける、第１導入空間６１ａと第２導入空間６２ａと上昇用空間６１ｂと下降用空間６２ｂを一組とする空間（一組の空間）のループ構造についても、連絡部２５の連絡配管の接続の有無および均圧開口７４と導入連通口７１の相違以外は同様であるため、説明を省略する。なお、当該一組の空間は、折返しヘッダ２４の第２上方折返し部分２４ｂｂ内において上下方向に複数並んでいるが、他の部分についても構造が同様であるため、説明を省略する。
【０１１４】
（６）暖房運転時の低循環量の場合の室外熱交換器２０における冷媒の流れ方
暖房運転時の低循環量の場合の室外熱交換器２０における冷媒の流れ方を説明する。ここでは、下方折返し部分２４ａの第２下方折返し部分２４ａｂおよび上方折返し部分２４ｂの第１上方折返し部分２４ｂａにおけるループ構造と、上方折返し部分２４ｂの第２上方折返し部分２４ｂｂにおけるループ構造を併せて説明する。
【０１１５】
第１導入空間６１ａから上昇用空間６１ｂに流入する冷媒は、比重の異なる気相成分と液相成分が混在した状態になっている。
【０１１６】
低循環量の場合には、上昇用空間６１ｂ内に流入する単位時間当たりの冷媒量が少なく、冷媒の流速は相対的に遅めになる。このため、この流速のままであれば、冷媒のうち比重の大きな液相成分については上昇させにくいため、上昇用空間６１ｂにおける複数の扁平多穴管２１ｂのうち上方に位置しているものに対して到達させにくく、上昇用空間６１ｂにおける複数の扁平多穴管２１ｂにおいて高さ位置に応じて通過量が不均一になり、偏流が生じてしまうおそれがある。このように比較的上方に配置された扁平多穴管２１ｂの一端側に対して、冷媒のうち比重の小さい気相成分が主に流入すると、扁平多穴管２１ｂの他端側から流出する冷媒は過熱度が大きくなりすぎて、扁平多穴管２１ｂを通過している途中で相変化を生じなくなり、熱交換の能力を十分に発揮させることができない部分が生じることになる。他方で、比較的下方に配置された扁平多穴管２１ｂの一端側に対して、冷媒のうち比重の大きな液相成分が主に流入すると、扁平多穴管２１ｂの他端側から流出する冷媒は過熱度が付きにくく、蒸発することなく扁平多穴管２１ｂの他端側に到達してしまうことがあり、やはり、熱交換の能力を十分に発揮させることができない部分が生じることになる。
【０１１７】
これに対して、本実施形態の室外熱交換器２０を低循環量の状態で用いた場合には、上昇用空間６１ｂに供給された冷媒のうち比重の大きな液相成分を従来のものよりも上方に導き、低循環量の時であっても偏流を改善できる。
【０１１８】
これにより、本実施形態の室外熱交換器２０では、低循環量時であっても、上昇用空間６１ｂにおいて高さ位置の異なる部分に配置された複数の扁平多穴管２１ｂに流入する冷媒の状態をできるだけ均一化させることが可能になる。
【０１１９】
（７）暖房運転時の高循環量の場合の室外熱交換器２０における冷媒の流れ方
暖房運転時の高循環量の場合の室外熱交換器２０における冷媒の流れ方を説明する。ここでは、下方折返し部分２４ａの第２下方折返し部分２４ａｂおよび上方折返し部分２４ｂの第１上方折返し部分２４ｂａにおけるループ構造と、上方折返し部分２４ｂの第２上方折返し部分２４ｂｂにおけるループ構造を併せて説明する。
【０１２０】
第１導入空間６１ａから上昇用空間６１ｂに流入する冷媒は、比重の異なる気相成分と液相成分が混在した状態になっていることは、低循環量の場合と同様である。
【０１２１】
高循環量の場合には、上昇用空間６１ｂ内に流入する単位時間当たりの冷媒量が多く、冷媒の流速は相対的に早めになる。しかも、上述した低循環量対策として上昇用開口８２ａ，８２ｂの絞り機能を採用していることにより、さらに流速が高められる。さらに、上述した低循環量対策として仕切部材７０によって上昇用空間６１ｂの冷媒通過断面積が狭められているため、冷媒の上昇速度は衰えにくくなっている。これにより、高循環量の場合には、上昇用開口８２ａ，８２ｂを勢いよく通過した冷媒のうち比重の大きな液相成分は、上昇用空間６１ｂ内において扁平多穴管２１ｂに流入することなく通過して、上方に集まりがちになってしまう。この場合には、比重の大きな液相成分が上方に集まりやすく、比重の小さな気相成分が下方に集まりやすくなり、低循環量の場合とは分布が異なるが、やはり偏流が生じてしまう。
【０１２２】
これに対して、本実施形態の室外熱交換器２０では、上昇用空間６１ｂの上端にまで冷媒の液相成分が多く到達したとしても、その冷媒を、上連通口７３を介して下降用空間６２ｂに導き、下降用空間６２ｂにおいて重力によって降下させた後、下連通口７２を介して、再び、上昇用空間６１ｂの下方に戻すことができる。
【０１２３】
下連通口７２を介して上昇用空間６１ｂに戻された冷媒は、上昇用開口８２ａ，８２ｂを通過した冷媒の上昇流れに引きずられるようにして、再度、上昇用空間６１ｂ内を上昇していき、扁平多穴管２１ｂに流入させることができる（冷媒は複数回ループしてもよい。）。
【０１２４】
これにより、本実施形態の室外熱交換器２０では、高循環量時であっても、上昇用空間６１ｂにおける高さ位置の異なる部分に配置された複数の扁平多穴管２１ｂに流入する冷媒の状態をできるだけ均一化させることが可能になる。
【０１２５】
（８）空気調和装置１の室外熱交換器２０の特徴
（８−１）
本実施形態の室外熱交換器２０の下方折返し部分２４ａの第２下方折返し部分２４ａｂでは、上方折返し部分２４ｂの第２上方折返し部分２４ｂｂとは異なり、連絡部２５の連絡配管等を用いた連絡は行われておられず、下方折返し部分２４ａの第２下方折返し部分２４ａｂと上方折返し部分２４ｂの第１上方折返し部分２４ｂａとは折返しヘッダ２４の内部を介して接続されている。このため、下方折返し部分２４ａの第２下方折返し部分２４ａｂの第２導入空間６２ａは、仮に仕切部材７０に開口等が設けられない場合には、連絡部２５の連絡配管等が接続されていないことから、閉空間となってしまう。このように下方折返し部分２４ａの第２下方折返し部分２４ａｂの第２導入空間６２ａが閉空間になってしまうと、当該第２導入空間６２ａを構成する周壁は周囲の空間との冷媒圧力の相違に起因する力を受けやすく、特に、仕切部材７０の第１導入空間６１ａと第２導入空間６２ａとの間の部分において疲労破壊が生じてしまうおそれがある。
【０１２６】
これに対して、本実施形態の室外熱交換器２０では、仕切部材７０のうち下方折返し部分２４ａの第２下方折返し部分２４ａｂの部分において、第１導入空間６１ａと第２導入空間６２ａとを連通させる均圧開口７４が設けられている。このため、下方折返し部分２４ａの第２下方折返し部分２４ａｂにおいて、第２導入空間６２ａ内の冷媒圧力は第１導入空間６１ａ内の冷媒圧力と均等化され、第２導入空間６２ａ内と第１導入空間６１ａ内との圧力差を小さくすることが可能になる。これにより、当該第２導入空間６２ａを構成する周壁の疲労破壊、特に、仕切部材７０の第１導入空間６１ａと第２導入空間６２ａとの間の部分の疲労破壊を防止することが可能になっている。
【０１２７】
（８−２）
本実施形態の室外熱交換器２０は、下方折返し部分２４ａの第２下方折返し部分２４ａｂでは、連絡部２５による連絡が行われず、第１導入空間６１ａと第２導入空間６２ａとは折返しヘッダ２４の内部を介して連絡している。このため、第２導入空間６２ａには,連絡部２５の連絡配管等は接続されておらず、なんら対策を講じなければ第２導入空間６２ａに流入した流体は滞留しがちになる。
【０１２８】
これに対して、本実施形態の室外熱交換器２０では、均圧開口７４の下端が、第１導入空間６１ａに接続されている扁平多穴管２１ｂの出口（扁平多穴管２１ｂの端部の出口の縁の内側）よりもさらに低い位置となるように配置されている。
【０１２９】
これにより、冷媒と共に冷凍機油が第２導入空間６２ａに流入したとしても、第２導入空間６２ａから再び第１導入空間６１ａ側に流出させやすくし、冷凍機油の第２導入空間６２ａでの溜まり混みを抑制することができている。
【０１３０】
特に、本実施形態では、均圧開口７４の上端が、第１導入空間６１ａに接続されている扁平多穴管２１ｂの出口（扁平多穴管２１ｂの端部の出口の縁の内側）よりもさらに低い位置に配置されている。
【０１３１】
これにより、扁平多穴管２１ｂの長手方向に沿うように流れてきた冷媒が扁平多穴管２１ｂの端部の出口から流出した後も当該長手方向に向けて流れた場合であっても、当該冷媒は、仕切部材７０の多穴側面７０ａに衝突しやすく、仕切部材７０の均圧開口７４を通過しにくい。このため、扁平多穴管２１ｂから流出した冷媒に含まれる冷凍機油が第２導入空間６２ａに流入する量を抑制することが可能になっている。
【０１３２】
（８−３）
本実施形態の室外熱交換器２０では、室外熱交換器２０内の冷媒流れにおける冷媒の入口から冷媒の出口に至るまでの折返し地点近傍に、各第１導入空間６１ａおよび上昇用空間６１ｂを設けている。そして、第１導入空間６１ａに接続されている扁平多穴管２１ｂの本数よりも、上昇用空間６１ｂに接続されている扁平多穴管２１ｂの本数の方が多くなるように構成されている。このように、気液二相状態の冷媒が状態変化しながら流れる室外熱交換器２０内の折返し地点近傍において、冷媒を上方に到達させやすくしつつ気体成分の比率が大きい部分ほどより多くの流路が設けられるように分流させる構造が採用されている。そして、当該構造を、折返しヘッダ２４内において簡易な構造で実現することが可能になっている。
【０１３３】
（８−４）
本実施形態の室外熱交換器２０では、高循環量の場合には、冷媒の液相成分が上昇用空間６１ｂ内の上方に到達してしまったとしても、上連通口７３と下降用空間６２ｂと下連通口７２とを介してループした冷媒を再び上昇用空間６１ｂに戻して、扁平多穴管２１ｂにまで導くことが可能になる。
【０１３４】
また、本実施形態の室外熱交換器２０は、低循環量の場合であっても、整流板８２に形成された上昇用開口８２ａ，８２ｂを通過する際に冷媒流速が上げられること、仕切部材７０によって仕切られることで上昇用空間６１ｂが狭められていることから、冷媒の上昇速度の減衰を抑えて、上昇用空間６１ｂの上方にまで冷媒を到達させやすくする。
【０１３５】
以上により、本実施形態の室外熱交換器２０は、低循環量の場合であっても高循環量の場合であっても、いずれの場合であっても、上昇用空間６１ｂにおいて鉛直方向に複数並んで配置された扁平多穴管２１ｂに対する冷媒の偏流を小さく抑えることができる。
【０１３６】
（８−５）
本実施形態の室外熱交換器２０では、折返しヘッダ２４の仕切部材７０は１つの一体部品によって構成されている。そして、仕切部材７０以外の各部材は、主としてこの仕切部材７０に対して固定されるため、互いの位置決めを行いやすく、強度を確保しやすい。また、折返しヘッダ２４は、鉛直方向に長い構造ではあるが、その製造を容易にすることができている。
【０１３７】
そして、折返しヘッダ２４の下方折返し部分２４ａの第２下方折返し部分２４ａｂでは、１つの一体部品によって構成された仕切部材７０によって、第１導入空間６１ａと第２導入空間６２ａとに仕切られている場合であっても、当該仕切部材７０に均圧開口７４が形成されているために、第２導入空間６２ａが閉空間になってしまうことを防ぐことができている。すなわち、１つの一体部品によって構成された仕切部材７０を用いた場合であっても、下方折返し部分２４ａの第２下方折返し部分２４ａｂにおける第１導入空間６１ａと第２導入空間６２ａとの間を均圧化させることが可能になっている。このため、１つの一体部品によって構成された仕切部材７０を用いることによるメリットを生かしつつ、仕切部材７０の第１導入空間６１ａと第２導入空間６２ａとの間の部分の疲労破壊を防止することが可能になっている。
【０１３８】
（９）他の実施形態
上記実施形態では、本発明の実施形態の一例を説明したが、上記実施形態はなんら本願発明を限定する趣旨ではなく、上記実施形態には限られない。本願発明は、その趣旨を逸脱しない範囲で適宜変更した態様についても当然に含まれる。
【０１３９】
（９−１）他の実施形態Ａ
上記実施形態では、下方折返し部分２４ａの第２下方折返し部分２４ａｂにおいて第１導入空間６１ａと第２導入空間６２ａとを連通させる均圧開口７４の大きさについては特に言及せず、任意である場合を例に挙げて説明した。
【０１４０】
しかし、均圧開口７４は、下方折返し部分２４ａの第２下方折返し部分２４ａｂの第１導入空間６１ａと第２導入空間６２ａとを均圧できる程度の大きさであればよく、例えば、下連通口７２よりも小さい開口であってもよいし、上連通口７３よりも小さい開口であってもよい。また、均圧開口７４は、上方折返し部分２４ｂの第２上方折返し部分２４ｂｂにおける第１導入空間６１ａと第２導入空間６２ａとを連通させる導入連通口７１とは異なり、冷媒を積極的に通過させるための開口ではなく、均圧化ができる程度の大きさで十分であるため、導入連通口７１よりも小さい開口となるように構成されていてもよい。
【０１４１】
（９−２）他の実施形態Ｂ
上記実施形態では、均圧開口７４が仕切部材７０に１つだけ設けられている場合を例に挙げて説明した。
【０１４２】
これに対して、均圧開口７４は、１つに限られず、例えば、下方折返し部分２４ａの第２下方折返し部分２４ａｂの第１導入空間６１ａと第２導入空間６２ａとを連通させる複数の開口によって構成されていてもよい。
【０１４３】
（９−３）他の実施形態Ｃ
上記実施形態では、均圧開口７４の上端が、第２下方折返し部分２４ａｂの第１導入空間６１ａに接続されている扁平多穴管２１ｂよりも下方に位置している場合を例に挙げて説明した。
【０１４４】
これに対して、均圧開口７４の上端の位置は、これに限定されるものではなく、例えば、第２下方折返し部分２４ａｂの第１導入空間６１ａに接続されている扁平多穴管２１ｂの流入口２１ｂａより上方に位置していてもよい。また、第２下方折返し部分２４ａｂの第１導入空間６１ａに接続されている扁平多穴管２１ｂが複数本である場合には、それらの扁平多穴管２１ｂの流入口２１ｂａよりもさらに上方に位置していてもよい。
【０１４５】
（９−４）他の実施形態Ｄ
上記実施形態では、上方折返し部分２４ｂの第１上方折返し部分２４ｂａにおいて、仕切部材７０に上連通口７３および下連通口７２が形成されることでループ構造が採用されている場合を例に挙げて説明した。
【０１４６】
これに対して、上方折返し部分２４ｂの第１上方折返し部分２４ｂａにおいては、このようなループ構造は採用されていなくてもよい。すなわち、上方折返し部分２４ｂの第１上方折返し部分２４ｂａにおいて、仕切部材７０には上連通口７３および下連通口７２のいずれも設けられていない場合でもよい。
【０１４７】
（９−５）他の実施形態Ｅ
上記実施形態では、折返しヘッダ２４が多穴側部材６１と配管側部材６２と仕切部材７０との３つを有して構成されている場合を例に挙げて説明した。
【０１４８】
これに対して、例えば、１つの円筒形状の部材と１つの仕切部材との２つを有して構成されていてもよい。
【０１４９】
（９−６）他の実施形態Ｆ
上記実施形態では、多穴側部材６１と配管側部材６２と仕切部材７０との全てについて各長手方向が鉛直方向となるように設けられている場合を例に挙げて説明した。
【０１５０】
これに対して、例えば、仕切部材７０の長手方向は、多穴側部材６１の長手方向や配管側部材６２の長手方向に対して傾斜するように設けられていてもよい。
【０１５１】
（９−７）他の実施形態Ｇ
上記実施形態では、多穴側部材６１や配管側部材６２や仕切部材７０の長手方向に対して垂直に広がるように整流板８２が取り付けられている場合を例に挙げて説明した。
【０１５２】
これに対して、例えば、整流板８２は、その上面および下面が、多穴側部材６１や配管側部材６２や仕切部材７０の長手方向に垂直な面に対して傾斜して広がるように設けられていてもよい。
【符号の説明】
【０１５３】
１      空気調和装置
２      空調室外機
３      空調室内機
１０    ユニットケーシング
２０    室外熱交換器（熱交換器）
２１    熱交換部
２１ａ  伝熱フィン
２１ｂ  扁平多穴管（扁平管）
２１ｂａ  複数の流入口
２２  分流器
２３  連結ヘッダ
２４  折返しヘッダ（ヘッダ集合管）
２５  連絡部
２６  出入口ヘッダ集合管
３１  ガス冷媒配管
３２  液冷媒配管
３３  膨張弁
６１  多穴側部材
６１ａ  第１導入空間（導入空間、第１空間）
６１ｂ  上昇用空間（分流空間、第１空間）
６２  配管側部材
６２ａ  第２導入空間（反導入空間、第２空間）
６２ｂ  下降用空間（反分流空間、第２空間）
７０  仕切部材（第１仕切部材）
７１  導入連通口
７２  下連通口
７３  上連通口
７４  均圧開口
８０  バッフル
８１  下方仕切板
８２  整流板（第２仕切部材）
８２ａ  上昇用開口（流入開口）
８２ｂ  上昇用開口（流入開口）
８３  上方仕切板
９１  圧縮機
【先行技術文献】
【特許文献】
【０１５４】
【特許文献１】特開２０１３−１３０３８６号公報
【図１】
0006458432.tif 000002
【図２】
0006458432.tif 000003
【図３】
0006458432.tif 000004
【図４】
0006458432.tif 000005
【図５】
0006458432.tif 000006
【図６】
0006458432.tif 000007
【図７】
0006458432.tif 000008
【図８】
0006458432.tif 000009
【図９】
0006458432.tif 000010
【図１０】
0006458432.tif 000011
【図１１】
0006458432.tif 000012